(57)【要約】【課題】微量薬液をドリップチャンバへ１滴の無駄もなく注入可能な薬液注入ラインおよびドリップチャンバを提供する。【解決手段】上下端部が閉塞された縦方向の筒体からなり、筒体の頭部に設けた血液流入口よりも下方の内部空間を収容空間とし、該収容空間に濾過材を備え、該濾過材の下流側の筒体に血液出口を備えたドリップチャンバにおいて、前記筒体頭部の内面に、外部の注入ライン１１と通じて下方に向けて突出した状態で落とし込みチューブ２０を備えた。【選択図】図３
0003135582.tif 000002
【実用新案登録請求の範囲】
【請求項１】
上下端部が閉塞された縦方向の筒体からなり、筒体の頭部に設けた血液流入口よりも下方の内部空間を収容空間とし、該収容空間に濾過材を備え、該濾過材の下流側の筒体に血液出口を備えたドリップチャンバにおいて、
前記筒体頭部の内面に、外部の注入ラインと通じて下方に向けて突出した状態で落とし込みチューブを備えたことを特徴とするドリップチャンバ。
【請求項２】
前記落とし込みチューブの先端の少なくとも一部を、該チューブの軸心に対して鋭角に成形したことを特徴とする請求項１に記載のドリップチャンバ。
【請求項３】
前記落とし込みチューブの先端が前記筒体の内壁面から離隔していることを特徴とする請求項１または請求項２に記載のドリップチャンバ。
【請求項４】
患者の血液を体外循環させる血液回路において、請求項１から請求項３のいずれかのドリップチャンバを途中に備えたことを特徴とする血液回路。
【考案の詳細な説明】
【技術分野】
【０００１】
本考案は、血液透析用の血液回路、およびその途中に設けるドリップチャンバに関するものである。
【背景技術】
【０００２】
透析治療時の薬液注入は、抗凝固剤を除き、静脈側回路から行うのが一般的である。そして、注入箇所としては、回路を構成しているメインチューブ上の混注ゴムボタン、或いは静脈側回路ドリップチャンバ上の薬液注入ラインを使用する。
混注ゴムボタンから注入する場合、薬液の入ったシリンジに注射針を取り付けて行うので、針刺し事故防止の観点から近年は減少している。このため、近年は注射針を使用しないニードルレスゴムボタンを使用するケースが増えている。これは簡便で安全であるが、シリンジ内を空気で置換すると患者への空気誤入を防止する上でシリンジ内の薬液を残らず排出することは難しい。
【０００３】
微量薬液を１滴の無駄もなく注入する方法としてドリップチャンバ上に薬液注入ラインを設置する方法がある。注入前あるいは注入後にシリンジに空気を吸い込ませ、それをチャンバ内に向けて排出するなどして注入ライン内を空気に置換し、薬液をチャンバ内に送り込むことができるため薬液の無駄が無い、という利点がある。
しかし、従来の薬液注入ラインは、外部とのアクセスを目的とした構成だけであり、微量の薬液を注入する場合を考慮した構成は備えていない。
【０００４】
このため、従来の血液回路或いはドリップチャンバにおいては、微量の薬液を緩徐に注入するとき、薬液が接液側壁面（チャンバーの内壁面）を伝わって血液に流入するので、最終的に壁面に薬液が残ってしまうといった問題点があった。
また、近時、薬液の開発が進む一方で内容量が１ｍＬといったものも少なくなく、１滴の全体に対する割合が大きいため、液残りが少ないドリップチャンバの開発が望まれていた。
【特許文献１】特開２００４−１１３２６４号公報
【考案の開示】
【考案が解決しようとする課題】
【０００５】
本考案は前記に鑑み提案されたもので、その目的とするところは、微量薬液を無駄なく注入できるドリップチャンバおよび血液回路を提供することである。
【課題を解決するための手段】
【０００６】
請求項１に記載の考案は、上下端部が閉塞された縦方向の筒体からなり、筒体の頭部に設けた血液流入口よりも下方の内部空間を収容空間とし、該収容空間に濾過材を備え、該濾過材の下流側の筒体に血液出口を備えたドリップチャンバにおいて、
前記筒体頭部の内面に、外部の注入ラインと通じて下方に向けて突出した状態で落とし込みチューブを備えたことを特徴とするドリップチャンバである。
【０００７】
請求項２に記載のものは、前記落とし込みチューブの先端の少なくとも一部を、該チューブの軸心に対して鋭角に成形したことを特徴とする請求項１に記載のドリップチャンバである。
【０００８】
請求項３に記載のものは、前記落とし込みチューブの先端が前記筒体の内壁面から離隔していることを特徴とする請求項１または請求項２に記載のドリップチャンバである。
【０００９】
請求項４に記載のものは、患者の血液を体外循環させる血液回路において、請求項１から請求項３のいずれかのドリップチャンバを途中に備えたことを特徴とする血液回路である。
【考案の効果】
【００１０】
請求項１または請求項４の考案によれば、ドリップチャンバの頭部の内面に、外部の注入ラインと通じて下方に向けて突出した状態で落とし込みチューブを備えるので、注入ラインから流下した薬液が落とし込みチューブの先端から収容空間に溜まっている血液に直接注入され、薬液がドリップチャンバの内壁面に付着して残ることを防ぐことができる。したがって、安全を維持したまま、注入ラインを介して送り込んだ薬液の血液に注入された分の割合を従来に比較して高めることができる。このため、薬液が微量であっても注入効率の向上により高価な薬液であっても効率良く使用することができる。
【００１１】
請求項２の考案によれば、前記落とし込みチューブの先端の少なくとも一部を、該チューブの軸心に対して鋭角に成形したので、１滴の量を少なくすることができ、一層液残りの減少を図って注入割合を高めることができる。
【００１２】
請求項３の考案によれば、前記落とし込みチューブの先端が前記筒体の内壁面から離隔しているので、薬液がドリップチャンバの内壁面に付着して残ることを確実に防止することができる。
【考案を実施するための最良の形態】
【００１３】
以下、本考案の実施の最良の形態を図面に基づいて説明する。
図１は透析治療に使用する血液回路の概略説明図であり、図２は血液回路の途中に設けたドリップチャンバの正面図である。
【００１４】
本考案に係る血液回路１は、図１に示すように、可撓性チューブの先端に取付体２ａを介して動脈側穿刺針３ａが接続された動脈側血液回路１ａと、可撓性チューブの先端に取付体２ｂを介して静脈側穿刺針３ｂが接続された静脈側血液回路１ｂとから概略構成されている。動脈側血液回路１ａは、その途中に軟質性の太径可撓性チューブを接続してしごきタイプの血液ポンプ４を配設し、該血液ポンプ４の吐出側チューブの下流側をドリップチャンバ５の血液流入口に接続し、該ドリップチャンバ５の血液出口に接続したチューブの端部をダイアライザ６の血液導入口６ａに接続し、血液ポンプ４を作動すると患者の動脈からの血液がドリップチャンバ５を介してダイアライザ６に供給されるように構成されている。
【００１５】
ダイアライザ６は、円筒状のケースの一端に血液導入口６ａを、他端に血液導出口６ｂを有し、血液導入口６ａには前記動脈側血液回路１ａを接続し、血液導出口６ｂには静脈側血液回路１ｂを接続し、ケースの外周面の他端側に設けられた透析液導入口６ｃに透析液供給管７を介して、また、外周面の一端側に設けられた透析液導出口６ｄに透析液回収管８を介して透析装置本体９と接続している。そして、ケース内に充填した中空糸膜（図示せず）を介して、血液導入口６ａから導入された血液中の老廃物等を透析液側に透析除去し、浄化した血液を血液導出口６ｂから静脈側血液回路１ｂを介して患者に戻すように構成されている。
【００１６】
静脈側血液回路１ｂは、ダイアライザ６の血液導出口６ｂ側にチューブの上流側端部を接続し、途中にドリップチャンバ１０を備え、このドリップチャンバ１０において、ダイアライザ６により浄化した血液に対して必要な薬剤を外部の注入ライン１１を介して添加し、その後にチューブ先端の静脈側穿刺針３ｂから患者の体内に戻すように構成されている。
【００１７】
本考案に係るドリップチャンバ１０は、図２に示すように、上下端部が閉塞された縦方向の合成樹脂製筒体、具体的には上端が閉塞されたチャンバキャップ１２と下端が閉塞されたチャンバ本体とを接続してなり、筒体の頭部を構成しているチャンバキャップ１２の側面に設けられた血液流入口１３にダイアライザ６からのチューブが接続され、血液流入口１３よりも下方の内部空間が血液を収容する収容空間１４として機能し、該収容空間１４には濾過材としての濾過網１５を備え、該濾過網１５の下流側の筒体底部に血液出口１６を備え、該血液出口１６に接続したチューブを介して患者に血液が戻されるように構成されている。また、このドリップチャンバ１０のチャンバキャップ１２の上部には、透析装置本体９に通じる圧モニターライン１７と外部のシリンジ１８に通じる注入ライン１１がそれぞれ接続されており、透析装置本体９により圧力監視が行われ、また、シリンジ１８から注入ライン１１を介して薬液が必要に応じて注入されるように構成されている。
【００１８】
注入ライン１１は血液回路１に使用される可撓性チューブに比較して遥かに細い可撓性チューブにより構成されており、しかもチャンバキャップ１２を貫通する部分はさらに細く（具体的には２ｍｍ以下）形成され、図３に示すように、チャンバキャップ１２の内壁面から離隔した位置において内側下方に向けて突出している。そして、シリンジ１８から落とし込みチューブ２０の先端までの長さＬは１００ｍｍ以下に設定することが望ましい。この様に構成すると、コネクタ部を含めて注入ライン１１の容量が０．５ｍＬ以下となる。なお、好ましくは内径１ｍｍ以下のチューブを使用し、注入ライン１１の容量がコネクタ部を含めて０．３ｍＬ以下とする。そして、落とし込みチューブ２０は、チャンバキャップ１２の内面から下向きに１ｍｍ以上突出させ、側方のチャンバ内壁面から１ｍｍ以上離隔することが望ましい。また、落とし込みチューブ２０の肉厚は０．８ｍｍ以下とし、その先端は、図４（ａ）に示すように、該チューブ２０の軸心に対して直交する面に成形してもよいが、図４（ｂ）に示すように、チューブ２０の軸心に対して斜めに成形することが望ましく、その角度は鋭角、具体的には４５度とすることが最適である。また、図４（ｃ）に示すように、チューブ先端の断面の少なくとも一部を鋭角にカットした先細り形状としてもよい。
【００１９】
上記した構成を有するドリップチャンバ１０においては、シリンジ１８から微量の薬液を緩徐に注入する場合に、薬液が落とし込みチューブ２０の先端から小さな滴として収容空間１４内に溜まった血液に直接添加され、チャンバキャップ１２の内面に付着することを防止することができる。そして、シリンジ１８内の薬液を注入ライン１１にすべて送り出したならば、このシリンジ１８と注入ライン１１内を空気と置換することにより、注入ライン１１の途中に残っていた薬液をチャンバキャップ１２内に残らず注入することができ、無駄がなくなる。この様に、シリンジ１８と注入ライン１１内を空気と置換しても、ドリップチャンバ１０において気泡が除かれるので、気泡の混入した血液が患者に戻されるおそれはない。また、落とし込みチューブ２０の先端が鋭角に傾斜していると、薬液の滴が小さくなるので、先端に留まって落下しない最後の薬液の量を可及的に減少させることができ、薬液注入の割合を一層高めることができる。
【００２０】
薬液の残量、すなわち、ドリップチャンバ１０の内壁面の残液量を比較する実験を行ったところ、表１に示す通り、落とし込みチューブ２０を設けた方が残量が少ないことが明らかであった。なお、実験は、落とし込みチューブ２０の内径が０．８ｍｍ、外径が１．９ｍｍ、落とし込み（突出長さ）が１０ｍｍであり、先端の斜めカットはつけられていない。
【００２１】
【表１】
0003135582.tif 000003
【００２２】
なお、本考案は、前記した実施形態に限定されるものではない。例えば、前記実施形態では、チャンバキャップ１２と落とし込みチューブ２０とを一体に射出成型したが、これに別個に成型したものを組みつけても良い。また、チャンバキャップ１２とチャンバ本体とを別個に成型した後に接続したものに限定されるものではなく、一体であっても良い。そして、落とし込みチューブは、筒体頭部の内面に下向きに突設されたものであれば、天井面から斜め下方に向けて、あるいは内壁面から斜め下方に突設されても良い。
【図面の簡単な説明】
【００２３】
【図１】血液回路の概略説明図である。
【図２】ドリップチャンバの正面図である。
【図３】（ａ）はチャンバキャップの落とし込みチューブ取付部分と注入ラインの拡大断面図、（ｂ）はチャンバキャップの落とし込みチューブ取付部分の底面図、（ｃ）はチャンバキャップの落とし込みチューブ取付部分の断面図である。
【図４】（ａ）は落とし込みチューブの軸心に対して直交する角度でカットした先端の正面図、（ｂ）は落とし込みチューブの軸心に対して鋭角で斜めカットした先端の正面図、（ｃ）は一部を先細り形状にした落とし込みチューブ先端の正面図である。
【符号の説明】
【００２４】
１  血液回路
１ａ  動脈側血液回路
１ｂ  静脈側血液回路
４  血液ポンプ
６  ダイアライザ
９  透析装置本体
１０  ドリップチャンバ
１１  注入ライン
１２  チャンバキャップ
１３  血液流入口
１４  収容空間
１５  濾過網
１６  血液出口
１７  圧モニターライン
１８  シリンジ
２０  落とし込みチューブ
【図１】
0003135582.tif 000004
【図２】
0003135582.tif 000005
【図３】
0003135582.tif 000006
【図４】
0003135582.tif 000007